(57)【要約】【課題】抗菌作用を備えた空気清浄用吊下具を提供する。【解決手段】粒子径が１０ｎｍ以下の銀微粒子を含有する抗菌性のゼオライト粉体を付着させた吊下体２を備えている。【選択図】図１
0003152817.tif 000002
【実用新案登録請求の範囲】
【請求項１】
粒子径が１０ｎｍ以下の銀微粒子を含有する抗菌性のゼオライト粉体（１０）を付着させた吊下体（２）を備えたことを特徴とする空気清浄用吊下具。
【請求項２】
上記吊下体（２）は、自動車内又は部屋内に吊り下げられて用いられる紙製、布製又はプラスチック薄板材から成る装飾品である請求項１記載の空気清浄用吊下具。
【考案の詳細な説明】
【技術分野】
【０００１】
本考案は、空気清浄用吊下具に関する。
【背景技術】
【０００２】
従来、自動車の車内に人形等の飾り具を吊り下げる吊下具が知られている（特許文献１参照）。
【先行技術文献】
【特許文献】
【０００３】
【特許文献１】登録実用新案第３０００６９８号公報
【考案の概要】
【考案が解決しようとする課題】
【０００４】
近年、重症急性呼吸器症候群（ＳＡＲＳ）や新型インフルエンザの流行をうけて、部屋又は車内に侵入した病原性のウィルスに作用し、感染リスクを低減する抗菌効果を有する商品へのニーズが高まっている。しかし、従来の吊下具は、飾り具を吊り下げる空間の空気を清浄化することはできなかった。
【０００５】
そこで、本考案は、抗菌作用を備えた空気清浄用吊下具を提供することを目的とする。
【課題を解決するための手段】
【０００６】
そこで、本考案に係る空気清浄用吊下具は、粒子径が１０ｎｍ以下の銀微粒子を含有する抗菌性のゼオライト粉体を付着させた吊下体を備えたものである。
また、上記吊下体は、自動車内又は部屋内に吊り下げられて用いられる紙製、布製又はプラスチック薄板材から成る装飾品である。
【考案の効果】
【０００７】
本考案の空気清浄用吊下具によれば、部屋又は車内に吊り下げておくだけで、ウィルスを不活性化させる等の抗菌作用によって空気を効率よく清浄化できる。
【図面の簡単な説明】
【０００８】
【図１】本考案の実施の一形態を示した図であり、（Ａ）は第１例を示す図、（Ｂ）は第２例を示す図である。
【図２】本考案の実施の他の形態を示した図である。
【図３】本考案の実施の別の形態を示した図である。
【図４】本考案の実施のもう一つ別の形態を示した図である。
【図５】ゼオライト粉体が付着した吊下体を示す要部拡大図である。
【考案を実施するための形態】
【０００９】
以下、本考案を詳細に説明する。
図１〜図５に示すように、本考案の空気清浄用吊下具１は、粒子径が１０ｎｍ以下の銀微粒子を含有する抗菌性のゼオライト粉体１０を付着させた吊下体２を備えるものである。
空気清浄用吊下具１は、不織布から成る吊下体２と、吊下体２を揺動可能として吊着する紐体３と、自動車内又は部屋内の天蓋壁部５に取付けられて吊下体２及び紐体３を支持する取付部４と、を有している。
【００１０】
吊下体２は、ゼオライト粉体１０を混入して均一に分散させた水に浸漬する方法、あるいは、ゼオライト粉体１０を混入して均一に分散させた水を塗布する方法によってゼオライト粉体１０を付着させた不織布を、裁断・縫製等の加工を行って所定形状に形成され得られる。
なお、吊下体２は、通気性、柔軟性、加工適正の観点から不織布を用いたが、紙製、布製又はプラスチック薄板材から成るも好ましい。
【００１１】
図１は、本考案の実施の一形態を示した図であり、図１（Ａ）の空気清浄用吊下具１は、天蓋壁部５に取付けられたフックＦに円輪状の取付部４を取着して、紐体３によって三日月形状に形成した吊下体２を吊り下げている。あるいは、図１（Ｂ）に示すように、大きさの異なる３つの吊下体２，２，２を輪状に結んだ紐体３，３にて連ねて、上端の紐体３を取付部４として天蓋壁部５に取付けられたフックＦに掛着するもよい。
図２は、本考案の実施の他の形態を示した図であり、空気清浄用吊下具１は、吸盤Ｑから成る取付部４を天蓋壁部５に吸着させて、紐体３によって渦巻形状に形成された吊下体２を螺旋状に展開して吊り下げている。吊下体２は、立体的に展開して吊り下げられているため、平面的に形成された場合に比べて多くの空気と接触している。
図３は、本考案の実施の別の形態を示した図であり、空気清浄用吊下具１は、吸盤Ｑから成る取付部４を天蓋壁部５に吸着させて、紐体３によって昆虫に見せかけて形成された吊下体２を吊り下げている。吊下体２の昆虫の羽根にあたる部分は、蛇腹状に折り畳まれて形成され、空気に接触する表面積が大きくなるように設計されている。
図４は、本考案の実施のもう一つ別の形態を示した図であり、空気清浄用吊下具１は、杭状の取付部４を天蓋壁部５に差込んで、紐体３によって植物に見せかけて形成された吊下体２を吊り下げている。吊下体２の植物は、花弁にあたる部分を多数有しており、空気に接触する表面積が大きくなるように設計されている。
このように、吊下体２は、抗菌性のゼオライト粉体１０が付着した不織布を加工して成る装飾品として形成されている。
【００１２】
図５は、吊下体２を電子顕微鏡にて観察した拡大図である。
吊下体２は、不織布の繊維Ｓ…に無数のゼオライト粉体１０…を付着させている。ゼオライト粉体１０は、後述の包接格子の内部に銀微粒子を結合して含有しており、特に粒子径が１０ｎｍ以下の銀微粒子は、物理化学的に安定状態にあり、光、熱、圧力等の物理的な影響を受けにくく、また化学物質に対しても安定状態である。よって、吊下体２は、水や溶剤等によっても銀微粒子を溶出させることなく含有している。
【００１３】
ところで、本考案を実施するためには、粒子径が１０ｎｍ以下の銀微粒子を含有するゼオライト粉体１０を調製する必要があるが、銀粒子を微粉砕して粒子径が１０ｎｍの均一な銀微粒子を多量に得ることは非常に困難である。
このため、包接格子の有する性質を利用して、粒子径が１０ｎｍ以下の銀微粒子を含有するゼオライト粉体１０を調製すればよい。
包接格子とは、原子や分子が入り込む程度の隙間であって、包接格子を有するゼオライト粉体１０は、層状又はかご状の微小な空洞部に分子を閉じ込める性質を有しており、この性質を利用して均一で非常に微細な銀微粒子を製造することができる。
【００１４】
包接格子を有するゼオライト粉体１０としては、合成ゼオライト及び天然ゼオライト、例えば、Ａ−型ゼオライト、Ｘ−型ゼオライト、Ｙ−型ゼオライト、Ｔ−型ゼオライト、高シリカゼオライト、ソーダライト、モルデナイト、アナルサイム、クリノプチロライト、チャバサイト、エリオナイト等の粉体を用いることが望ましい。
【００１５】
ゼオライト粉体１０の粒子径は、種々の加工に対応しやすい観点から０．１〜０．２μｍとするのが好ましい。また、ゼオライト粉体１０の平均粒子径は０．３〜１．２μｍ、好ましくは０．５〜４μｍが適当である。
ゼオライト粉体１０の表面積は、銀微粒子を多く含有できるとの観点から重量１ｇ当り８０ｍ２以上であることが好ましく、上限は特に限定されない。
【００１６】
ゼオライト粉体１０上に生成する銀微粒子は、例えば、銀塩化合物の溶液をゼオライト粉体１０の粒子に接触付着させて、これを還元させることにより調製できる。
調製に使用する銀塩化合物としては、水溶性の銀化合物が好ましく、例えば、硝酸銀、硫酸銀、酢酸銀、塩素酸銀、過塩素酸銀、ヘキサフルオロリン酸銀、テトラフルオロホウ酸銀、ジアンミン銀硫酸塩等を用いることが望ましい。
ゼオライト粉体１０の粒子に接触付着させた銀塩を還元する方法としては、熱分解法と還元剤反応法がある。熱分解法は、銀化合物の熱分解温度以上の温度で加熱する方法である。例えば、硝酸銀の熱分解温度は４４４℃、酢酸銀の熱分解温度は２４０℃、テトラフルオロホウ酸銀の熱分解温度は２００℃である。還元剤反応法は、銀化合物に種々の還元剤を作用させてこれを還元して金属銀にする方法である。使用する還元剤としては、糖類、アルデヒド類、ハイドロキノン、ギ酸、シュウ酸、アスコルビン酸、亜硝酸塩類、２価鉄塩類、１価銅塩類、４価ウラニウム塩類、２価バナジウム塩類、亜硫酸ガス、亜硝酸ガス、一酸化炭素等が挙げられる。
【００１７】
ゼオライト粉体１０上に生成する銀微粒子の内、粒子径が１０ｎｍ以下の銀微粒子が、全銀微粒子の重量に対して６０％以上、さらに好ましくは８０％以上を占めていることが望ましい。
ゼオライト粉体１０は、銀微粒子を全重量の０．７重量％以上、さらに好ましくは１．４重量％以上含有することが抗菌性能の点から望ましい。
このようにして調製されたゼオライト粉体１０は、含有する銀微粒子の作用によって、大腸菌、緑膿菌等のグラム陰性細菌類、黄色ブドウ球菌、ＭＲＳＡ等のグラム陽性細菌類、カビ類の広範囲の微生物に対して抗菌作用を有している。特に、重症急性呼吸器症候群（ＳＡＲＳ）やインフルエンザウィルス等の感染を引き起こすウィルスに対して不活性化する抗菌作用を有している。
【００１８】
上述した本考案の空気清浄用吊下具の使用方法（作用）について説明する。
図１〜図４に示すように、空気清浄用吊下具１は、自動車内又は部屋内に吊り下げられて用いられる。
吊下体２は、紐体３にて吊り下げられているため、窓から部屋内に吹き込む風によって、あるいは、自動車の加速および減速によって、取付部４に支持されて揺れ動き、自動車または部屋の多くの空気に接触する。
抗菌性のゼオライト粉体１０は、その抗菌作用により、吊下体２に接触する空気中に含まれる重症急性呼吸器症候群（ＳＡＲＳ）やインフルエンザウィルス等のウィルスを不活性化すると共に、細菌・カビ等を殺菌する。また、ゼオライト粉体１０は、臭気を取り除いて、自動車内又は部屋内の消臭を行なう。
【００１９】
また、吊下体２は、空間に美観を与える平面図形、幾何学図形や立体形状等、又は、動物や植物等に見せかけて形成され、装飾品として自動車内又は部屋内の空間を飾る。さらに、吊下体２は、装飾品として裁断・縫製等の加工が施されることで、空気に接触する表面積が増大し、ゼオライト粉体１０の抗菌作用が効率よく発揮される。
【００２０】
なお、本考案は、設計変更可能であって、例えば、空気清浄用吊下具１は、長寸の布から成る吊下体２を、複数の紐体３によって吊り下げたカーテンとするもよい。また、複数のプラスチック薄板材から成る吊下体２を、紐体３によって一体に連結して吊り下げたブラインドカーテンとするもよい。
【００２１】
以上のように、本考案は、粒子径が１０ｎｍ以下の銀微粒子を含有する抗菌性のゼオライト粉体１０を付着させた吊下体２を備えたので、吊り下げておくだけで吊下体２に接触する空気中に含まれる重症急性呼吸器症候群（ＳＡＲＳ）やインフルエンザウィルス等のウィルスを不活性化すると共に、細菌・カビ等を殺菌することができ、自動車内又は部屋内の空気を効率よく清浄化できる。また、吊下体２に付着した抗菌性のゼオライト粉体１０が、光、熱、圧力等の物理的な影響を受けにくく、化学物質に対しても安定であるため、安定性の高い抗菌作用を長期間に渡って発揮できる。
【００２２】
また、吊下体２は、自動車内又は部屋内に吊り下げられて用いられる紙製、布製又はプラスチック薄板材から成る装飾品であるので、美観に優れると共に、自動車内又は部屋内の多くの空気に接触し、ゼオライト粉体１０の抗菌作用を効率よく発揮することができる。
【符号の説明】
【００２３】
２  吊下体
１０  ゼオライト粉体
【図１】
0003152817.tif 000003
【図２】
0003152817.tif 000004
【図３】
0003152817.tif 000005
【図４】
0003152817.tif 000006
【図５】
0003152817.tif 000007